(57)【要約】【課題】視距離に応じて視聴者の視線を誘導する。【解決手段】注視誘導画像生成装置１は、映像を受信・デコードする映像受信・デコード部１０と、注視誘導用パラメータを取得する注視誘導用パラメータ取得部２０と、画面パラメータを取得する画面パラメータ取得部３０と、注線誘導位置から離れる程、コントラスト感度曲線におけるコントラスト及び空間周波数が低くなる集中線が描かれた注視誘導画像Ｅを生成する注視誘導画像生成部４０と、注視誘導画像Ｅをフレーム画像Ｆに合成する画像合成部５０とを備える。【選択図】図３
2020035249.tif 000002
【特許請求の範囲】
【請求項１】
視距離に応じたパターンの視認可否を前記パターンのコントラストと空間周波数との関係により表したコントラスト感度曲線に基づいて、広視野画像上の視線誘導位置に視聴者の視線を誘導する視線誘導装置であって、
前記広視野画像上で前記視線誘導位置から離れる程、前記コントラスト感度曲線におけるコントラスト及び空間周波数が低くなるパターンが描かれた視線誘導画像を生成する視線誘導画像生成部と、
前記視線誘導画像生成部が生成した視線誘導画像を前記広視野画像に合成する画像合成部と、
を備えることを特徴とする視線誘導装置。
【請求項２】
前記視線誘導画像生成部は、前記パターンとして、集中線又は同心円が描かれた前記視線誘導画像を生成することを特徴とする請求項１に記載の視線誘導装置。
【請求項３】
前記視線誘導画像生成部は、前記視線誘導位置を中心とした視線誘導領域に前記パターンを描かずに前記視線誘導画像を生成することを特徴とする請求項１又は請求項２に記載の視線誘導装置。
【請求項４】
前記視線誘導画像生成部は、
前記広視野画像を表示する表示装置の画素ピッチｐ、前記パターンの周波数ｆ、前記パターンのコントラストｃ、前記視線誘導領域の大きさｓ１、前記パターンを描くパターン領域の大きさｓ２、及び、予め設定された係数ｘ，ｙ，ｚ，ｗが含まれる式（１）を用いて、前記パターンの周波数ｆ´、前記パターンのコントラストｃ´、前記視線誘導領域の大きさｓ１´、前記パターン領域の大きさｓ２´を算出し、
【数１】
2020035249.tif 000008
前記視線誘導位置（Ｐｘ，Ｐｙ）、及び、前記視線誘導画像の任意位置（ｐｘ，ｐｙ）が含まれる式（２）を用いて、前記任意位置（ｐｘ，ｐｙ）の輝度値ｖｇ（ｐｘ，ｐｙ）を算出し、
【数２】
2020035249.tif 000009
式（３）を用いて、前記任意位置（ｐｘ，ｐｙ）の輝度調整係数ｖｎ（ｐｘ，ｐｙ）を算出し、
【数３】
2020035249.tif 000010
最大値を取得する関数ｍａｘが含まれる式（４）を用いて、前記任意位置（ｐｘ，ｐｙ）の輝度値ｖ（ｐｘ，ｐｙ）を算出し、
【数４】
2020035249.tif 000011
算出した前記輝度値ｖ（ｐｘ，ｐｙ）の前記視線誘導画像を生成することを特徴とする請求項１から請求項３の何れか一項に記載の視線誘導装置。
【請求項５】
コンピュータを、請求項１から請求項４の何れか一項に記載の視線誘導装置として機能させるためのプログラム。
【発明の詳細な説明】
【技術分野】
【０００１】
本発明は、視聴者の視線を誘導する視線誘導装置及びそのプログラムに関する。
【背景技術】
【０００２】
従来より、人物に注意を向けてほしい場所に視線を誘導するための手法が提案されている。例えば、特許文献１には、商品カタログ等のビジュアルドキュメントにおける視線誘導手法が記載されている。また、特許文献２，３には、車両の運転者に対する視線誘導手法が記載されている。
【０００３】
ところで、近年、解像度が８Ｋ（横７６８０画素×縦４３２０画素）以上の超高精細映像システムの研究が進んでいる。超高精細映像システムでは、視聴者の臨場感を高める効果を狙い、広視野映像提示を可能としている。この広視野映像提示は、約１００度の視野角で映像を提示することで、あたかもその場にいるような高い臨場感の映像視聴体験を提供することができる。
【０００４】
広視野で映像を視聴するということは、視聴者が、従前のテレビ視聴よりも画面に近づいて映像を視聴するということに他ならない。人間の視覚が高い解像度で視覚像を知覚できる範囲（網膜の中心窩が捉える範囲）は、視野角で数十度の範囲内にすぎない。このため、広視野映像提示において、視聴者は、画面全体を視野の中心で捉えることが困難である。
【０００５】
従って、広視野映像提示では、視対象が視野内で広範囲に分散している場合や視対象が移動する場合、視聴者が視対象を見つけることが難しく、視対象を見失ってしまう可能性がある。このように、広視野映像提示では、臨場感が高められる一方、映像制作者の意図を正しく伝えることが難しくなる。さらに、広視野映像提示では、視対象を探すという作業が必要になり視聴者の負担が生じる。その結果、広視野映像提示では、視聴者が広視野で映像を見ようとしない、すなわち、視聴者が画面から離れて映像を視聴する傾向がある。
【先行技術文献】
【特許文献】
【０００６】
【特許文献１】特開２００５−１８２７４６号公報
【特許文献２】特開２０１４−９９１０５号公報
【特許文献３】特開２００６−３２７３１０号公報
【発明の概要】
【発明が解決しようとする課題】
【０００７】
超高精細映像システムは、視聴者が画面に近づいて視聴した場合でも映像品質が保てるという考えの元に設計されている。超高精細映像システムの高品質さがもたらす特別な視聴体験を保ちながら、効率的な情報伝達を実現するために、広視野映像提示における視聴者の負担を軽減する必要がある。つまり、広視野映像提示において、画面に近い視聴者の視線のみを誘導する手法が求められている。
【０００８】
しかし、前記した特許文献１〜３に記載の技術は、広視野映像提示において、画面に近い視聴者のみ視線を誘導するような、視距離に応じて選択的に視線誘導効果を及ぼす仕組みとなっていない。
【０００９】
本発明は、視距離に応じて視聴者の視線を誘導できる視線誘導装置及びそのプログラムを提供することを課題とする。
【課題を解決するための手段】
【００１０】
前記した課題に鑑みて、本発明に係る視線誘導装置は、視距離に応じたパターンの視認可否をパターンのコントラストと空間周波数との関係により表したコントラスト感度曲線に基づいて、広視野画像上の視線誘導位置に視聴者の視線を誘導する視線誘導装置であって、視線誘導画像生成部と、画像合成部と、を備える構成とした。
【００１１】
かかる構成によれば、視線誘導画像生成部は、広視野画像上で視線誘導位置から離れる程、コントラスト感度曲線におけるコントラスト及び空間周波数が低くなるパターンが描かれた視線誘導画像を生成する。
そして、画像合成部は、視線誘導画像生成部が生成した視線誘導画像を広視野画像に合成する。
【００１２】
この視線誘導画像のパターンは、コントラスト感度曲線に基づいて描かれているので、パターンの視認可否が視距離に応じて異なる。つまり、視線誘導装置は、画面に近い視聴者が視線誘導用のパターンを視認できるので、画面に近い視聴者のみ視線を誘導できる。一方、視線誘導装置は、画面から遠い視聴者が視線誘導用のパターンを視認できないので、画面から遠い視聴者の臨場感を損なうことがない。
【００１３】
なお、本発明に係る視線誘導装置は、一般的なコンピュータを前記した各手段として協調動作させるプログラムで実現することもできる。
【発明の効果】
【００１４】
本発明によれば、視距離に応じて視聴者の視線を誘導することができる。
【図面の簡単な説明】
【００１５】
【図１】（ａ）及び（ｂ）は、本発明におけるコントラスト感度曲線を説明する説明図である。
【図２】実施形態において、視線誘導装置の処理概要を説明する説明図である。
【図３】実施形態に係る視線誘導装置の構成を示すブロック図である
【図４】実施形態において、視線誘導装置に設定するパラメータを説明する説明図である。
【図５】実施形態において、視線誘導画像を説明する説明図である。
【図６】図３の視線誘導装置の動作を示すフローチャートである。
【図７】変形例において、視線誘導画像を説明する説明図である。
【図８】実施例における各画像の一例を表しており、（ａ）は広視野画像であり、（ｂ）は視線誘導画像であり、（ｃ）は合成画像である。
【発明を実施するための形態】
【００１６】
（本発明の原理：コントラスト感度曲線）
図１を参照し、本発明の原理について説明した後、実施形態を詳述する。
本発明では、視線誘導用のパターン（例えば、集中線や同心円）を広視野画像に合成表示することによって、視聴者の視線誘導を促す。このパターンは、人間の視覚で捉えられる限界付近の低コントラスト、かつ、低空間周波数（高空間周波数でも可）で描画される。
【００１７】
図１（ａ）に示すように、人間の視覚におけるコントラストと網膜上の空間解像度の間には関係があることが知られている。図１では、縦軸がコントラストを表し、横軸が空間周波数を表す。人間の視覚は、バンドパスフィルタのように働く。すなわち、網膜上に投射されたパターンの空間周波数が低すぎる場合又は高すぎる場合、そのパターンを視認することができない。さらに、パターンのコントラスト値（白・黒の輝度値の差）が低下すると、その傾向が強まる。図１（ｂ）に示すように、人間が視認できる領域と視認できない領域の境界は、コントラスト感度曲線ＣＶで表される。
なお、図１（ｂ）では、コントラスト感度曲線ＣＶの下側が人間が視認できる領域となり、コントラスト感度曲線ＣＶの上側が人間が視認できない領域となる。また、図１（ｂ）は、図１（ａ）にコントラスト感度曲線ＣＶを描いたものである。
【００１８】
前記したように、空間周波数が網膜上で定義されるため、視距離が変化すると、コントラスト感度曲線ＣＶが上下に移動することになる。このとき、コントラスト感度曲線ＣＶの曲がり方も若干変化する。従って、コントラスト感度曲線ＣＶ付近のコントラスト及び空間周波数で描かれたパターンは、視距離により、見える場合と見えない場合に分かれる。つまり、コントラスト感度曲線ＣＶは、視距離に応じたパターンの視認可否を、コントラストと空間周波数との関係から定めたものと言える。このコントラスト感度曲線ＣＶの特性を利用して、画面から遠い視聴者には視線誘導効果を発揮することなく、画面に近い視聴者のみに視線誘導効果を発揮するパターンを描くことができる。
なお、視距離は、広視野画像表示装置２の画面の高さと、広視野画像表示装置２から視聴者までの距離との比とする。
【００１９】
このパターンは、視距離に応じて、空間周波数とコントラストを調整することによって、画面に近づいて視聴したときに辛うじて視認できるようにする。人間の特性として、意識的に視覚像を知覚することができなくても、人間の行動に影響をもたらす効果（例えば、サブリミナル効果）によって視線の誘導を期待することができる。
【００２０】
（実施形態）
［注視誘導画像生成装置の構成］
以下、本発明の実施形態について、適宜図面を参照しながら詳細に説明する。なお、実施形態において、同一の手段には同一の符号を付し、説明を省略した。
図２，図３を参照し、本実施形態に係る注視誘導画像生成装置（視線誘導装置）１の構成について、説明する。
【００２１】
注視誘導画像生成装置１は、広視野画像上の注視誘導位置（視線誘導位置）に視聴者の視線を誘導するものである。具体的には、注視誘導画像生成装置１は、図２に示すように、注視誘導用のパターンＭがコントラスト感度曲線ＣＶに基づいて描かれた注視誘導画像（視線誘導画像）Ｅを生成する。そして、注視誘導画像生成装置１は、生成した注視誘導画像Ｅと広視野画像Ｆとを合成し、その合成画像Ｇを広視野画像表示装置２に出力する。
【００２２】
なお、広視野画像Ｆとは、広視野画像表示装置２で想定する視距離（例えば、０．７５Ｈ）において、１００度以上の広い視野角で視聴可能な画像のことである。例えば、広視野画像Ｆは、解像度が８Ｋ以上の画像である。例えば、広視野画像Ｆが８Ｋ以上の解像度であれば、１画素あたりの視野角が１分（１／６０度）以下となり、画素構造に起因する意図しない空間周波成分の発生を抑制することができる。
また、注視誘導画像Ｅとは、広視野画像Ｆ上の注視誘導位置（図２では航空機Ｔの位置）に視聴者の視線を誘導するパターンＭが描かれた画像のことである。本実施形態では、注視誘導画像Ｅが、パターンＭとして、航空機Ｔの周囲から放射状に広がる集中線が描かれた集中線画像である。
また、広視野画像Ｆ及び注視誘導画像Ｅは、同一サイズであり、互いの画素位置が対応することとする。
【００２３】
広視野画像表示装置２は、注視誘導画像生成装置１から入力された合成画像Ｇを表示する一般的な表示装置である。例えば、広視野画像表示装置２としては、液晶ディスプレイ、プラズマディスプレイ、有機ＥＬディスプレイ等のフラットパネルディスプレイがあげられる。
【００２４】
図３に示すように、注視誘導画像生成装置１は、映像受信・デコード部１０と、注視誘導用パラメータ取得部２０と、画面パラメータ取得部３０と、注視誘導画像生成部（視線誘導画像生成部）４０と、画像合成部５０とを備える。
【００２５】
映像受信・デコード部１０は、広視野画像表示装置２に表示する映像を受信し、受信した映像をデコードするものである。例えば、映像受信・デコード部１０は、放送又は通信により映像を受信し、エンコードに対応した手法で映像をデコードする。そして、映像受信・デコード部１０は、デコードした映像の各フレーム画像（広視野画像）Ｆを画像合成部５０に出力する。
【００２６】
注視誘導用パラメータ取得部２０は、注視誘導画像Ｅの生成に必要な注視誘導用パラメータを取得するものである。例えば、注視誘導用パラメータ取得部２０は、放送又は通信により、映像制作者が予め設定した注視誘導用パラメータを取得する。そして、注視誘導用パラメータ取得部２０は、取得した注視誘導用パラメータを注視誘導画像生成部４０に出力する。
【００２７】
画面パラメータ取得部３０は、広視野画像表示装置２の画面に関連した画面パラメータを取得するものである。例えば、画面パラメータ取得部３０は、注視誘導画像生成装置１の利用者が予め設定した画面パラメータを取得する。そして、画面パラメータ取得部３０は、取得した画面パラメータを注視誘導画像生成部４０に出力する。
【００２８】
注視誘導画像生成部４０は、広視野画像Ｆ上で注視線誘導位置から離れる程、コントラスト感度曲線ＣＶにおけるコントラスト及び空間周波数が低くなるパターンＭが描かれた注視誘導画像Ｅを生成するものである。そして、注視誘導画像生成部４０は、生成した注視誘導画像Ｅを画像合成部５０に出力する。
なお、注視誘導画像生成部４０の詳細は、後記する。
【００２９】
画像合成部５０は、注視誘導画像生成部４０からの注視誘導画像Ｅと、映像受信・デコード部１０からの広視野画像Ｆとを合成し、その合成画像Ｇを広視野画像表示装置２に出力するものである。
【００３０】
＜注視誘導画像の生成及び合成＞
図４，図５を参照し、注視誘導画像Ｅの生成及び合成について説明する（適宜図１〜図３参照）。
なお、図４，図５では、図面を見やすくするため、白地に黒色のパターンＭを図示したが、実際は、黒地に白色のパターンＭを描くことになる（図８参照）。また、図４，図５では、パターンＭのコントラストの強弱をドットの濃淡で図示した。
【００３１】
図４に示すように、注視誘導用パラメータには、注視誘導位置（Ｐｘ，Ｐｙ）、パターンＭの周波数ｆ、パターンＭのコントラストｃ、注視誘導領域Ａ１の大きさｓ１、パターン領域Ａ２の大きさｓ２が含まれる。
【００３２】
パターンＭの周波数（空間周波数）ｆは、パターンＭが集中線の場合には集中線の本数に相当する。
パターンＭのコントラストｃは、注視誘導画像Ｅの背景とパターンＭとの輝度比である。
注視誘導領域Ａ１は、注視誘導画像Ｅにおける視聴者の視線誘導先の領域であり、この領域内部にはパターンＭを描かない。この注視誘導領域Ａ１は、注視誘導位置（Ｐｘ，Ｐｙ）を中心とした半径ｓ１の円領域である。
パターン領域Ａ２は、注視誘導画像ＥにおいてパターンＭを描く領域であり、注視誘導位置（Ｐｘ，Ｐｙ）を中心とした半径ｓ２の円領域である。
【００３３】
この注視誘導用パラメータは、任意の値で予め設定する。また、パターンＭの周波数ｆ及びコントラストｃは、広視野画像表示装置２で想定する視距離（例えば、０．７５Ｈ）において、コントラスト感度曲線ＣＶを考慮して設定するとよい。つまり、パターンＭの周波数ｆ及びコントラストｃは、想定した視距離以下の視聴者がパターンＭを視認できる一方、その視距離を超える視聴者がパターンＭを視認できないように、コントラスト感度曲線ＣＶに基づいて設定すればよい。
【００３４】
なお、注視誘導画像Ｅでは、注視誘導領域Ａ１とパターン領域Ａ２との間にパターンＭを描くことになる。また、パターン領域Ａ２が注視誘導画像Ｅに含まれる範囲のみ、パターンＭを描けばよい。言い換えるなら、パターン領域Ａ２が注視誘導画像Ｅから外れる範囲には、パターンＭを描く必要がない（図４）。
【００３５】
画面パラメータには、広視野画像表示装置２の画面サイズ及び解像度が含まれる。この画面サイズは、広視野画像表示装置２の画面の高さ及び幅を表す。また、解像度は、広視野画像表示装置２の縦横の画素数を表す。
まず、注視誘導画像生成部４０は、画面パラメータを参照し、物理的な画面サイズ及び解像度から、画素ピッチｐを求める。具体的には、注視誘導画像生成部４０は、画面サイズを解像度で除算し、画素ピッチｐを算出する。
【００３６】
次に、注視誘導画像生成部４０は、画素ピッチｐに応じて、注視誘導用パラメータを調整する。具体的には、注視誘導画像生成部４０は、式（１）を用いて、パターンＭの周波数ｆ´と、パターンＭのコントラストｃ´、注視誘導領域Ａ１の大きさｓ１´、パターン領域Ａ２の大きさｓ２´を算出する。なお、ｘ，ｙ，ｚ，ｗは、調整用に予め設定された係数である（０≦ｘ，ｙ，ｚ，ｗ≦１）。
【００３７】
【数１】
2020035249.tif 000003
【００３８】
ここで、注視誘導画像Ｅ上に任意位置を１点設定し、この任意位置（ｐｘ，ｐｙ）の輝度値ｖｇを決めることとする。この場合、注視誘導画像生成部４０は、式（２）を用いて、注視誘導位置（Ｐｘ，Ｐｙ）を中心とした注視誘導画像Ｅを生成すればよい（０≦ｖｇ≦１）。この式（２）では、任意位置（ｐｘ，ｐｙ）において、周波数ｆ´に応じた輝度値ｖｇ（ｐｘ，ｐｙ）を算出することになる。
【００３９】
【数２】
2020035249.tif 000004
【００４０】
注視誘導位置（Ｐｘ，Ｐｙ）の付近では、折り返しによって知覚できる模様（折り返し歪）が生じてしまうため、この付近（注視誘導領域Ａ１の領域内）にパターンＭを描かないこととする。また、注視誘導位置（Ｐｘ，Ｐｙ）から離れる程、パターンＭの空間周波数の低下に伴ってパターンＭが視認されやすくなるため、コントラストも低下させる必要がある。そこで、注視誘導画像生成部４０は、式（３）を用いて、任意位置（ｐｘ，ｐｙ）の輝度調整係数ｖｎ（ｐｘ，ｐｙ）を算出する。
【００４１】
【数３】
2020035249.tif 000005
【００４２】
なお、式（３）では、右辺第１項がパターン領域Ａ２の外側ほど値が小さくなり、右辺第２項が注視誘導領域Ａ１の外側ほど値が小さくなることを表す。
【００４３】
そして、注視誘導画像生成部４０は、式（４−１）及び式（４−２）を用いて、任意位置（ｐｘ，ｐｙ）の輝度値ｖ（ｐｘ，ｐｙ）を算出する。このように、任意位置（ｐｘ，ｐｙ）における輝度値ｖｇ（ｐｘ，ｐｙ）と輝度調整係数ｖｎ（ｐｘ，ｐｙ）を乗じることで、図５に示すように注視誘導画像Ｅを生成できる。
【００４４】
【数４】
2020035249.tif 000006
【００４５】
なお、ｍａｘは、最大値を取得する関数である。また、式（４−１）は、注視誘導領域Ａ１とパターン領域Ａ２との間において、注視誘導位置（Ｐｘ，Ｐｙ）から離れる程、パターンＭのコントラスト及び空間周波数が低くなることを表す。また、式（４−２）の係数γは、正規化のためのものである。つまり、式（４−２）は、注視誘導画像Ｅにおいて、輝度値ｖ（ｐｘ，ｐｙ）の最大値を１とすることを表す。
【００４６】
次に、画像合成部５０は、式（５）を用いて、合成画像Ｇの任意位置（ｐｘ，ｐｙ）におけるＲＧＢ値ｒ´，ｇ´，ｂ´を算出する。この式（５）では、広視野画像Ｆの任意位置（ｐｘ，ｐｙ）におけるＲＧＢ値がｒ，ｇ，ｂである（０≦ｒ，ｇ，ｂ≦１）。
なお、画像合成部５０は、ＲＧＢ値ｒ´，ｇ´，ｂ´のそれぞれが１を超える場合、１に調整するとよい。
【００４７】
【数５】
2020035249.tif 000007
【００４８】
なお、１点の任意位置（ｐｘ，ｐｙ）について説明したが、実際には、注視誘導画像Ｅの各画素について前記した演算を行う。つまり、注視誘導画像生成部４０及び画像合成部５０は、注視誘導画像Ｅの各画素を任意位置（ｐｘ，ｐｙ）として設定し、式（１）〜式（５）の演算を注視誘導画像Ｅの各画素について行う。
【００４９】
［注視誘導画像生成装置の動作］
図６を参照し、注視誘導画像生成装置１の動作について説明する。
図６に示すように、画面パラメータ取得部３０は、広視野画像表示装置２の画面パラメータ（画面サイズ及び解像度）を取得する（ステップＳ１）。
【００５０】
映像受信・デコード部１０は、広視野画像表示装置２に表示する映像を受信し、受信した映像をデコードする（ステップＳ２）。
注視誘導用パラメータ取得部２０は、注視誘導用パラメータとして、注視誘導位置（Ｐｘ，Ｐｙ）、パターンＭの周波数ｆ、パターンＭのコントラストｃ、注視誘導領域Ａ１の大きさｓ１、パターン領域Ａ２の大きさｓ２を取得する（ステップＳ３）。
【００５１】
注視誘導画像生成部４０は、注視線誘導位置から離れる程、コントラスト感度曲線ＣＶにおけるコントラスト及び空間周波数が低くなるパターンＭが描かれた注視誘導画像Ｅを生成する。具体的には、注視誘導画像生成部４０は、前記した式（１）〜式（４）を用いて、注視誘導画像Ｅを生成する（ステップＳ４）。
【００５２】
画像合成部５０は、ステップＳ４で生成した注視誘導画Ｅと、ステップＳ１で受信した映像（広視野画像Ｆ）とを合成する（ステップＳ５）。具体的には、画像合成部５０は、前記した式（５）を用いて、注視誘導画Ｅと広視野画像Ｆの合成画像Ｇを生成する（ステップＳ５）。
画像合成部５０は、ステップＳ５で生成した合成画像Ｇを広視野画像表示装置２に出力する（ステップＳ６）。
【００５３】
注視誘導画像生成装置１（画像合成部５０）は、処理を終了するか否かを判定する。例えば、注視誘導画像生成装置１は、最終の広視野画像Ｆを合成した場合（ステップＳ７でＹｅｓ）、処理を終了する。
注視誘導画像生成装置１は、処理を終了しない場合（ステップＳ７でＮｏ）、ステップＳ２の処理に戻り、次フレームの広視野画像について処理を行う。
【００５４】
［作用・効果］
以上のように、注視誘導画像生成装置１は、視距離に応じて視聴者の視線を誘導することができる。つまり、注視誘導画像生成装置１は、画面に近い視聴者のみ視線を誘導するので、画面から遠い視聴者の臨場感を損なうことがなく、映像品質の劣化を抑制することができる。さらに、注視誘導画像生成装置１は、広視野映像提示において、視聴者が視対象を見逃すことによる映像理解の妨げを低減することができる。これにより、注視誘導画像生成装置１は、８Ｋのような広視野映像提示における視聴体験をより向上させ、広視野映像提示の普及促進に寄与する。
【００５５】
パターンＭが非常に低いコントラスト、かつ、非常に高い空間周波数で描かれることが多いため、符号化によりパターンＭが消失する可能性がある。このため、映像受信側の注視誘導画像生成装置１が、パターンＭを別途描画し、映像に合成することで、パターンＭの消失を防止することができる。
【００５６】
（変形例）
以上、本発明の実施形態を詳述してきたが、本発明は前記した各実施形態に限られるものではなく、本発明の要旨を逸脱しない範囲の設計変更等も含まれる。
前記した実施形態では、注視誘導画像生成装置と広視野画像表示装置を別々の装置として説明したが、両装置を一体化してもよい。
【００５７】
前記した実施形態では、注視誘導用のパターンとして、集中線を描くこととして説明したが、パターンはこれに限定されない。例えば、注視誘導画像生成装置は、図７に示すように、パターンＭ２として同心円が描かれた注視誘導画像Ｅ２を生成してもよい。この注視誘導画像Ｅ２では、注視誘導位置から離れる程、同心円のコントラスト及び空間周波数が低くなる。
なお、図７の注視誘導画像Ｅ２では、図面を見やすくするため、白地に黒色のパターンＭ２を図示したが、実際は、黒地に白色のパターンＭ２を描くことになる。
【００５８】
前記した実施形態では、注視誘導画像生成装置を独立したハードウェアとして説明したが、本発明は、これに限定されない。例えば、本発明は、コンピュータが備えるＣＰＵ、メモリ、ハードディスク等のハードウェア資源を、前記した注視誘導画像生成装置として協調動作させるプログラムで実現することもできる。これらのプログラムは、通信回線を介して配布してもよく、ＣＤ−ＲＯＭやフラッシュメモリ等の記録媒体に書き込んで配布してもよい。
【実施例】
【００５９】
本発明の実施例として、注視誘導画像Ｅを例示する。
図８（ａ）に示すように、単色背景の広視野画像Ｆに文字Ａ，Ｂ，Ｃが表示されており、この文字Ｂに視聴者の視線を誘導することとする。この場合、注視誘導画像生成装置は、図８（ｂ）に示すように注視誘導画像Ｅを生成し、図８（ｃ）に示すように広視野画像Ｆと注視誘導画像Ｅを合成する。図８（ｃ）の合成画像Ｇでは、文字Ｂを中心に集中線が描かれており、文字Ｂから離れる程、集中線が目立ちにくくなる。
【００６０】
なお、図８（ｂ）の注視誘導画像Ｅは、周波数ｆ＝１００、コントラストｃ＝０．１、大きさｓ１＝３、ｓ２＝１５００、画素ピッチｐ＝１、ｘ＝ｙ＝ｚ＝ｗ＝１というパラメータでパターンＭを描いたものである。
【符号の説明】
【００６１】
１  注視誘導画像生成装置（視線誘導装置）
２  広視野画像表示装置
１０  映像受信・デコード部
２０  注視誘導用パラメータ取得部
３０  画面パラメータ取得部
４０  注視誘導画像生成部（視線誘導画像生成部）
５０  画像合成部
Ａ１  注視誘導領域
Ａ２  パターン領域
ＣＶ  コントラスト感度曲線
Ｅ，Ｅ２  注視誘導画像（視線誘導画像）
Ｆ  広視野画像
Ｇ  合成画像
Ｍ，Ｍ２  パターン
Ｔ  航空機
【図１】
2020035249.tif 000012
【図２】
2020035249.tif 000013
【図３】
2020035249.tif 000014
【図４】
2020035249.tif 000015
【図５】
2020035249.tif 000016
【図６】
2020035249.tif 000017
【図７】
2020035249.tif 000018
【図８】
2020035249.tif 000019